【手続補正書】
【提出日】平成19年6月11日(2007.6.11)
【手続補正１】
【補正対象書類名】明細書
【補正対象項目名】特許請求の範囲
【補正方法】変更
【補正の内容】
【特許請求の範囲】
【請求項１】  所定の端末装置において、プレイヤーの選択入力に基づきストーリーが変化するマルチプレイヤーゲームを行わせるためのゲーム情報を生成する情報生成手段と、
生成された前記ゲーム情報を前記端末装置に送信する送信手段と、
前記端末装置からプレイヤーの選択入力情報を受信する受信手段と、
を含み、
前記マルチプレイヤーゲームは、各プレイヤーによる個別選択入力型のゲームであって、かつ、選択入力に応じて異なる応答出力のなされるゲームであって、
前記情報生成手段は、
ゲームにおいて第１のプレイヤーに対する選択入力用イベントが発生した場合に、前記第１のプレイヤーに選択入力を促す第１の選択入力用のゲーム情報を生成し、
前記受信手段によって受信される前記第１のプレイヤーの選択入力情報に基づき、第１の応答出力用のゲーム情報を生成し、
ゲームにおいて第２のプレイヤーに対する選択入力用イベントが発生した場合に、前記第２のプレイヤーに選択入力を促す第２の選択入力用のゲーム情報を生成し、
前記受信手段によって受信される前記第２のプレイヤーの選択入力情報に基づき、第２の応答出力用のゲーム情報を生成し、
前記送信手段は、
前記第１の選択入力用のゲーム情報を前記第１のプレイヤーの操作する端末装置に送信し、
前記第２の選択入力用のゲーム情報を前記第２のプレイヤーの操作する端末装置に送信し、
前記第１および第２の応答出力用のゲーム情報を、前記第１および第２のプレイヤーの操作する端末装置に送信することを特徴とするマルチプレイヤーゲーム用の情報提供システム。
【請求項２】  請求項１において、
前記情報生成手段は、ゲーム状況に基づき、前記第１および第２のプレイヤーに対する選択入力用イベントを発生させることを特徴とする情報提供システム。
【請求項３】  所定の端末装置において、プレイヤーの選択入力に基づきマルチプレイヤーゲームを行わせるためのゲーム情報を生成する情報生成手段と、
生成された前記ゲーム情報を前記端末装置に送信する送信手段と、
前記端末装置からプレイヤーの選択入力情報を受信する受信手段と、
を含み、
前記マルチプレイヤーゲームは、各プレイヤーによる同時選択入力型のゲームであって、かつ、選択入力に応じて異なる応答出力のなされるゲームであって、
前記情報生成手段は、
ゲームにおいて所定の選択入力用イベントが発生した場合に、第１および第２のプレイヤーに選択入力を促す選択入力用のゲーム情報を生成し、
前記受信手段によって受信される前記第１および第２のプレイヤーの選択入力情報に基づき、応答出力用のゲーム情報を生成し、
前記送信手段は、
前記選択入力用のゲーム情報および前記応答出力用のゲーム情報を前記第１および第２のプレイヤーの操作する端末装置に送信することを特徴とするマルチプレイヤーゲーム用の情報提供システム。
【請求項４】  請求項１〜３のいずれかにおいて、
前記選択入力情報は、選択肢の選択、文字列の入力およびキー入力のうち少なくとも１つの入力に基づく情報であることを特徴とする情報提供システム。
【請求項５】  請求項１〜４のいずれかにおいて、
前記受信手段によって所定の時間内に前記選択入力情報が受信できない場合に、当該選択入力情報を受信できないプレイヤーの選択入力を自動的に決定する判定手段を含み、
前記情報生成手段は、当該判定手段によって決定された選択入力情報に基づき、前記ゲーム情報を生成することを特徴とする情報提供システム。
【請求項６】  請求項３、４のいずれかに従属する請求項５において、
前記判定手段は、選択入力の先後、選択入力時間、選択入力時刻、ランダム、くじ、ゲームでの得点状況、ゲームの進行状況、前記プレイヤーの所属する地域、のうちのいずれかに基づき、前記第１および第２のプレイヤーの選択入力に対して少なくとも１つの選択入力を決定することを特徴とする情報提供システム。
【請求項７】  請求項１〜６のいずれかにおいて、
前記情報生成手段は、前記プレイヤーの選択入力に基づき、前記ゲーム情報の生成に用いられる所定のゲームパラメータを変化させることを特徴とする情報提供システム。
【請求項８】  請求項１〜７のいずれかにおいて、
前記受信手段によって前記第１または第２のプレイヤーの選択入力情報が受信された場合、選択入力が行われたことを示す通知情報を電子メール形式で生成するメール生成手段を含み、
前記送信手段は、生成された前記通知情報を電子メールとして前記第２または第１のプレイヤーの操作する端末装置に送信することを特徴とする情報提供システム。
【請求項９】  請求項１〜８のいずれかにおいて、
前記受信手段は、前記プレイヤーの識別情報および前記プレイヤーの撮像画像を含む個人情報を、入力手段および撮像手段を有する個人情報取得装置から受信し、
前記情報生成手段は、受信された個人情報に基づき、前記ゲーム情報を生成することを特徴とする情報提供システム。
【請求項１０】  請求項１〜９のいずれかにおいて、
前記端末装置は、携帯型端末装置であることを特徴とする情報提供システム。
【請求項１１】  請求項１〜９のいずれかにおいて、
前記端末装置は、業務用ゲーム装置であることを特徴とする情報提供システム。
【請求項１２】  請求項９に従属する請求項１１において、
前記業務用ゲーム装置は、前記個人情報に基づき生成されたゲーム情報を所定の形式で出力する手段を含むことを特徴とする情報提供システム。
【請求項１３】  所定の端末装置において、プレイヤーの選択入力に基づきストーリーが変化するマルチプレイヤーゲームを行わせるためのゲーム情報を送信するためのプログラムを記憶した情報記憶媒体であって、かつ、送受信部を含む装置の有するコンピュータにより読み取り可能な情報記憶媒体において、
前記コンピュータを、
前記ゲーム情報を生成する情報生成手段と、
生成された前記ゲーム情報を、前記送受信部に、前記端末装置に送信させる送信制御手段と、
前記送受信部に、前記端末装置からプレイヤーの選択入力情報を受信させる受信制御手段として機能させるためのプログラムを記憶し、
前記マルチプレイヤーゲームは、各プレイヤーによる個別選択入力型のゲームであって、かつ、選択入力に応じて異なる応答出力のなされるゲームであって、
前記情報生成手段は、
ゲームにおいて第１のプレイヤーに対する選択入力用イベントが発生した場合に、前記第１のプレイヤーに選択入力を促す第１の選択入力用のゲーム情報を生成し、
前記送受信部によって受信される前記第１のプレイヤーの選択入力情報に基づき、第１の応答出力用のゲーム情報を生成し、
ゲームにおいて第２のプレイヤーに対する選択入力用イベントが発生した場合に、前記第２のプレイヤーに選択入力を促す第２の選択入力用のゲーム情報を生成し、
前記送受信部によって受信される前記第２のプレイヤーの選択入力情報に基づき、第２の応答出力用のゲーム情報を生成し、
前記送信制御手段は、
前記送受信部に、前記第１の選択入力用のゲーム情報を前記第１のプレイヤーの操作する端末装置に送信させ、
前記送受信部に、前記第２の選択入力用のゲーム情報を前記第２のプレイヤーの操作する端末装置に送信させ、
前記送受信部に、前記第１および第２の応答出力用のゲーム情報を、前記第１および第２のプレイヤーの操作する端末装置に送信させることを特徴とするマルチプレイヤーゲーム用の情報記憶媒体。
【請求項１４】  所定の端末装置において、プレイヤーの選択入力に基づきマルチプレイヤーゲームを行わせるためのゲーム情報を送信するためのプログラムを記憶した情報記憶媒体であって、かつ、送受信部を含む装置の有するコンピュータにより読み取り可能な情報記憶媒体において、
前記コンピュータを、
前記ゲーム情報を生成する情報生成手段と、
生成された前記ゲーム情報を、前記送受信部に、前記端末装置に送信させる送信制御手段と、
前記送受信部に、前記端末装置からプレイヤーの選択入力情報を受信させる受信制御手段として機能させるためのプログラムを記憶し、
前記マルチプレイヤーゲームは、各プレイヤーによる同時選択入力型のゲームであって、かつ、選択入力に応じて異なる応答出力のなされるゲームであって、
前記情報生成手段は、
ゲームにおいて所定の選択入力用イベントが発生した場合に、第１および第２のプレイヤーに選択入力を促す選択入力用のゲーム情報を生成し、
前記送受信部によって受信される前記第１および第２のプレイヤーの選択入力情報に基づき、応答出力用のゲーム情報を生成し、
前記送信制御手段は、
前記送受信部に、前記選択入力用のゲーム情報および前記応答出力用のゲーム情報を前記第１および第２のプレイヤーの操作する端末装置に送信させることを特徴とするマルチプレイヤーゲーム用の情報記憶媒体。
【手続補正２】
【補正対象書類名】明細書
【補正対象項目名】００４０
【補正方法】削除
【補正の内容】